(57)【要約】【課題】  ワイヤハーネス又はそのコネクタを取り外したことを確実に検知でき、構成が簡単で実用的な不正行為の検知装置を提供する。【解決手段】  周辺装置ＰＢは、電源オフ時にワイヤハーネスＷＨを通してメイン基板１０へバックアップ電源３０を供給する。バックアップ電源監視回路１０ａはバックアップ電源からの電流を監視し、この電流を検出しなくなったとき、ＣＰＵに割り込みをかける。ＣＰＵは、ＲＡＭにフラグを書き込む。ＲＡＭはフラグを保持する。電源投入時、ＣＰＵは、ＲＡＭにフラグが保持されているかどうか判定する。ＲＡＭにフラグが書き込まれていたときに、ＲＡＭの内容をクリアする。【選択図】        図４
2008161498.tif 000002
【特許請求の範囲】
【請求項１】
遊技に係る抽選処理を行うメイン基板と、遊技に関する信号を前記メイン基板へ出力する周辺装置と、前記周辺装置の出力を前記メイン基板へ伝達するワイヤハーネスとを備える遊技機において、
前記周辺装置は、電源オフ時に前記ワイヤハーネスを通して前記メイン基板へ電源を供給するバックアップ電源を含み、
前記メイン基板は、前記周辺装置の前記バックアップ電源からの電流を監視するバックアップ電源監視回路と、前記バックアップ電源監視回路の出力に基づき予め定められた処理を実行する処理部と、少なくとも所定のフラグを保持する記憶部と、遊技に係る前記抽選処理の抽選結果を含む内部情報を記憶する内部情報記憶部とを含み、
前記バックアップ電源監視回路は、前記バックアップ電源からの電流を検出しなくなったとき、その旨の信号を前記処理部へ送り、
前記処理部は、前記バックアップ電源からの電流を検出しなくなった旨の信号を受けて、前記記憶部に予め定められたフラグを書き込む処理を実行し、
前記処理部は、予め定められたタイミングで、前記記憶部に前記フラグが保持されているかどうか判定し、前記記憶部に前記フラグが保持されていたときに、前記内部情報記憶部の内容を消去する、ことを特徴とする遊技機。
【請求項２】
前記周辺装置の前記スイッチ又はセンサの出力を前記メイン基板へ伝達するための信号線と前記バックアップ電源を前記メイン基板へ供給する電源線とは、ひとつにまとめられていることを特徴とする請求項１記載の遊技機。
【請求項３】
前記処理部は、電源投入のタイミングで、前記記憶部に前記フラグが保持されているかどうか判定することを特徴とする請求項１又は請求項２記載の遊技機。
【請求項４】
遊技に係る抽選処理を行うメイン基板と、遊技に関する信号を前記メイン基板へ出力する周辺装置と、前記周辺装置の出力を前記メイン基板へ伝達するワイヤハーネスと、電源オフ時に前記ワイヤハーネスを通して前記周辺装置から前記メイン基板へ電源を供給するバックアップ電源と、前記バックアップ電源からの電流を監視するバックアップ電源監視回路と、前記バックアップ電源監視回路の出力に基づき予め定められた処理を実行する処理部と、少なくとも所定のフラグを保持する記憶部と、遊技に係る前記抽選処理の抽選結果を含む内部情報を記憶する内部情報記憶部とを備える遊技機において不正行為を検知する方法であって、
前記バックアップ電源監視回路の出力に基づき前記バックアップ電源からの電流が流れているかどうかを判定するステップと、
前記電流が流れなくなったとき、前記記憶部に予め定められたフラグを書き込むステップと、
前記記憶部で前記フラグを保持するステップと、
予め定められたタイミングで、前記記憶部に前記フラグが保持されているかどうか判定するステップと、
前記フラグが保持されていたとき、前記内部情報記憶部の内容を消去するステップと、を備える遊技機における不正行為の検知方法。
【請求項５】
遊技に係る抽選処理を行うメイン基板と、遊技に関する信号を前記メイン基板へ出力する周辺装置と、前記周辺装置の出力を前記メイン基板へ伝達するワイヤハーネスと、電源オフ時に前記ワイヤハーネスを通して前記周辺装置から前記メイン基板へ電源を供給するバックアップ電源と、前記バックアップ電源からの電流を監視するバックアップ電源監視回路と、前記バックアップ電源監視回路の出力に基づき予め定められた処理を実行する処理部と、少なくとも所定のフラグを保持する記憶部と、遊技に係る前記抽選処理の抽選結果を含む内部情報を記憶する内部情報記憶部とを備える遊技機において不正行為を検知する方法をコンピュータに実行させるためのプログラムであって、
前記バックアップ電源監視回路の出力に基づき前記バックアップ電源からの電流が流れているかどうかを判定するステップと、
前記電流が流れなくなったとき、前記記憶部に予め定められたフラグを書き込むステップと、
前記記憶部で前記フラグを保持するステップと、
予め定められたタイミングで、前記記憶部に前記フラグが保持されているかどうか判定するステップと、
前記フラグが保持されていたとき、前記内部情報記憶部の内容を消去するステップと、を実行させるためのプログラム。
【発明の詳細な説明】
【技術分野】
【０００１】
この発明は、スロットマシンなどの遊技機及び遊技機における不正行為の検知方法並びに当該方法をコンピュータに実行させるためのプログラムに関し、特に、ワイヤハーネスの不正な取り外しを防止するための技術に関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技場に設置される遊技機は、制御プログラムが不正に改変されないよう管理されており、制御回路装置（メイン基板）を収納ケースに収納し、その収納ケースを、本体枠の所定部材に組み付けるなどして、メイン基板及び制御プログラムを記憶するＲＯＭが不正に交換されないように配慮がなされている。さらに、ＲＯＭには封印シールが貼付されるなどして、装着されている基板上から容易に外すことができないようになっている。
また、電気的な封印手段として特許文献１及び２に記載されたものがある。
【０００５】
【特許文献１】特開平７−２８９７１２号公報「遊技用装置」  遊技制御基板と他の制御基板との間の接続を監視する接続監視機能を設け、不正な取外しを検出する。接続情報入力回路が、遊技制御基板と中継基板の接続状態を表わす信号を基板監視回路に対して出力している。基板監視回路は、接続情報入力回路から異常な接続状態を表わす信号が入力されたとき、制御動作機能を停止させる。
【特許文献２】特開平１１−３２６４３５号公報「異常監視装置」  回路収容箱の開箱やコネクタの挿脱を検知する。封止線材が収容箱の周囲またはコネクタの雄部と雌部との間を巻回している。収容箱を開箱したりコネクタを引き抜いたりする場合、封止線材を切断しなければならない。この封止線材の切断を検出回路で検出する。
【発明の開示】
【発明が解決しようとする課題】
【０００６】
特許文献１では、接続を監視するために、専用の接続情報入力回路と基板監視回路を新たに設ける必要があった。そのため、構成が複雑になると共にコストが上昇するという問題があった。特許文献２では、封止線材でコネクタの雄部と雌部をぐるぐる巻きにして封印していたが、製造時及び保守時の手間が大きく、実用的でなかった。
【０００７】
ところで、いわゆる「打ち込み機」というものがある。これは、遊技機内部で基板と基板を接続するワイヤハーネスのコネクタを外して、基板の代わりに当該コネクタに接続される電子装置である。打ち込み機は、例えば、スタートスイッチなどが設けられているスイッチ基板とメイン基板を結ぶワイヤハーネスに、スイッチ基板に代えて設けられる。打ち込み機は、操作信号（メダル投入信号、スタートスイッチ信号、停止ボタン信号、メダル払出信号など）を発生する。例えば、スタートスイッチの操作の有無にかかわらず、スタートスイッチ押下に相当する信号を電気的に発生し、これをメイン基板に入力することで所定の遊技処理を実行させる。打ち込み機を用いれば、いちいち人間が操作することなく、自動的に繰り返し遊技を実行させることができる。このような行為は「打ち込み」と呼ばれ、不正行為である。打ち込み機は、例えば、繰り返し遊技を実行させることで発生確率の低い入賞に当選させ、そのときにメモリに記憶される当選フラグを保持させることで特定の遊技者に利益を誘導する、といった用途に用いられているようである。打ち込みはホール側の客寄せのひとつとして行われることが多く、打ち込み機はホール店員により取り付けられているようである。
【０００８】
「打ち込み」とは、いわゆるボーナスをためることのできるストック機ではボーナスをためることであり、ストック機ではない通常の遊技機ではボーナスに当選するまで遊技を行うことである。ストック機のボーナスの数やボーナスの当選状態といった内部情報は、記憶部（ＲＡＭ）に保存されている。
【０００９】
打ち込み機と同様に、遊技機内部に取り付けられるものとして「ぶら下がり基板」がある。ぶら下がり基板は、本来特定の場合に出されるＡＴコマンドを常時出させるなどの通常の遊技機ではありえない処理を行うことにより操作補助機能を作動させ、容易に出玉を得るといった用途に使用される。このような行為は不正行為であり、ぶら下がり基板の使用は禁止されている。
打ち込み機やぶら下がり基板の設置を防止するためには、コネクタの取り外しやワイヤハーネスの電気的な切断などの行為を直接検知する必要があるが、特許文献１及び２に記載の技術では上述のような問題点があった。
【００１０】
この発明は上記課題を解決することを目的になされたもので、ワイヤハーネス又はそのコネクタを取り外したことを確実に検知できるとともに、構成が簡単で実用的な遊技機及び遊技機における不正行為の検知方法並びにプログラムを提供することを目的とする。
【課題を解決するための手段】
【００１１】
この発明は、遊技に係る抽選処理を行うメイン基板と、遊技に関する信号を前記メイン基板へ出力する周辺装置と、前記周辺装置の出力を前記メイン基板へ伝達するワイヤハーネスとを備える遊技機において、
前記周辺装置は、電源オフ時に前記ワイヤハーネスを通して前記メイン基板へ電源を供給するバックアップ電源を含み、
前記メイン基板は、前記周辺装置の前記バックアップ電源からの電流を監視するバックアップ電源監視回路と、前記バックアップ電源監視回路の出力に基づき予め定められた処理を実行する処理部と、少なくとも所定のフラグを保持する記憶部と、遊技に係る前記抽選処理の抽選結果を含む内部情報を記憶する内部情報記憶部とを含み、
前記バックアップ電源監視回路は、前記バックアップ電源からの電流を検出しなくなったとき、その旨の信号を前記処理部へ送り、
前記処理部は、前記バックアップ電源からの電流を検出しなくなった旨の信号を受けて、前記記憶部に予め定められたフラグを書き込む処理を実行し、
前記処理部は、予め定められたタイミングで、前記記憶部に前記フラグが保持されているかどうか判定し、前記記憶部に前記フラグが保持されていたときに、前記内部情報記憶部の内容を消去する、ものである。
【００１２】
好ましくは、前記周辺装置の前記スイッチ又はセンサの出力を前記メイン基板へ伝達するための信号線と前記バックアップ電源を前記メイン基板へ供給する電源線とは、ひとつにまとめられている。
【００１３】
前記処理部は、例えば、電源投入のタイミングで、前記記憶部に前記フラグが保持されているかどうか判定する。
【００１４】
この発明は、遊技に係る抽選処理を行うメイン基板と、スイッチ又はセンサの出力を前記メイン基板へ送出する周辺装置と、前記周辺装置の出力を前記メイン基板へ伝達するワイヤハーネスと、電源オフ時に前記ワイヤハーネスを通して前記周辺装置から前記メイン基板へ電源を供給するバックアップ電源と、前記バックアップ電源からの電流を監視するバックアップ電源監視回路と、前記バックアップ電源監視回路の出力に基づき予め定められた処理を実行する処理部と、少なくとも所定のフラグを保持する記憶部と、遊技に係る前記抽選処理の抽選結果を含む内部情報を記憶する内部情報記憶部とを備える遊技機において不正行為を検知する方法であって、
前記バックアップ電源監視回路の出力に基づき前記バックアップ電源からの電流が流れているかどうかを判定するステップと、
前記電流が流れなくなったとき、前記記憶部に予め定められたフラグを書き込むステップと、
前記記憶部で前記フラグを保持するステップと、
予め定められたタイミングで、前記記憶部に前記フラグが保持されているかどうか判定するステップと、
前記フラグが保持されていたとき、前記内部情報記憶部の内容を消去するステップと、を備えるものである。
【００１５】
この発明は、上記方法をコンピュータに実行させるためのものである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１６】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１７】
この発明の実施の形態によれば、バックアップ電源監視回路がバックアップ電源からの電流を監視し、この電流を検出しなくなったとき、処理部は記憶部にフラグを書き込み、所定のタイミング（例えば、電源投入時）で、処理部は記憶部にフラグが保持されているかどうか判定することで、ワイヤハーネス又はそのコネクタを取り外したことを確実に検知できる。ワイヤハーネス又はそのコネクタの取り外しを検知したときは、遊技機の内部情報（例えばボーナスフラグ）を消去することで不正行為を失敗に終わらせることができる。
【発明を実施するための最良の形態】
【００１８】
図１は前扉を閉めた状態を示す遊技機（スロットマシン）の正面図、図２は前扉を１８０度開いた状態を示す遊技機の正面図を示す。
【００１９】
図１及び図２中、１００は遊技機を示すもので、この遊技機１００は、図１に示すように、遊技機本体１２０と、この遊技機本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルを遊技機１００外に強制的に排出するためのリジェクトボタン１３３が設けられている。
【００２０】
また、前記ゲーム表示部１３１の左下方には、ゲームを開始するためのスタートスイッチ１３４を設けてあり、３つのリールのそれぞれに対応して３つのストップスイッチ１４０を設けてある。スタートスイッチ１３４とストップスイッチ１４０の上側のテーブル状の部分には、メダル投入に代えて操作することにより遊技可能な状態とするベットスイッチ１３７が設けてある。前扉の下端部中央には、メダルの払出し口１３５を設けてある。
【００２１】
前記ゲーム表示部１３１の右側には、液晶表示装置ＬＣＤが設けてある。液晶表示装置ＬＣＤは、遊技に係る演出を行うとともに、不正行為の検知を報知するものである。
【００２２】
遊技機本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。遊技機本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００２３】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２４】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２５】
図３は発明の実施の形態に係る遊技機１００の機能ブロック図を示す。
この図において電源系統についての表示は省略されている。遊技機１００は、その主要な処理装置としてメイン基板１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２６】
メイン基板１０は、遊技者の操作を受けて内部抽選を行ったり、リールの回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２７】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２８】
メイン基板１０には、スタートスイッチ１３４，ベットスイッチ１３７、ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。また、メダルセレクタ１に内蔵され、投入されたメダルを計数するためのメダルセンサＳ１が接続されている。
【００２９】
スタートスイッチ１３４，ベットスイッチ１３７、ストップボタン１４０は、スイッチ基板ＳＷＢに設けられ、スイッチ基板ＳＷＢとメイン基板１０がワイヤハーネスＷＨで接続されている。同様に、メダルセレクタ１とメイン基板１０、メダル検出部８２とメイン基板１０もワイヤハーネスＷＨで接続されている（遊技機に用いられているワイヤハーネスＷＨは他にもあるが、発明の実施の形態の説明に必要なもののみ図３に示した）。
【００３０】
スイッチ基板ＳＷＢ、メダルセレクタ１及びメダル検出部８２は、そこに内蔵されたスイッチ又はセンサ（Ｓ１，８２、１３４）の出力をメイン基板１０に送出するものであり、遊技処理の中心となるメイン基板１０から見れば、それらはメイン基板１０の手足となる周辺装置ＰＢに相当する。そこで、発明の実施の形態の説明において、スイッチ基板ＳＷＢ、メダルセレクタ１及びメダル検出部８２をまとめて周辺装置ＰＢと呼ぶことにする（図３の括弧書きはこのことを意味する）。図３の３つの周辺装置ＰＢはそれぞれ機能的に異なるものであるが、発明の実施の形態の動作を説明するうえでその機能を区別する必要がないので、以下の説明において、単に「周辺装置ＰＢ」と表現することにする。
【００３１】
サブ基板２０には液晶表示装置の制御用の液晶制御基板２００、スピーカ基板２０１、電飾用のＬＥＤ基板２０２などの周辺装置（ローカル基板）が接続されている。図３では示していないが、液晶制御基板２００には図１に示された液晶表示装置ＬＣＤが接続されている。
【００３２】
上述のように、メイン基板１０及びサブ基板２０は、ＣＰＵを中心に構成され、ＲＯＭ、ＲＡＭ、Ｉ／Ｏ等を備えている。そして、ＣＰＵが遊技者の操作を受けてＲＯＭに記憶されたプログラムを読み込むことで所定の動作を行う。具体的には、スタートスイッチ１３４及びストップボタン１４０の操作に基づきリールユニット２０３に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００３３】
遊技機で遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は、遊技メダルの投入を条件に、リールユニット２０３の駆動を開始させる。リールユニット２０３は、ストップボタン１４０によりその駆動が停止される。リールユニット２０３は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３４】
本発明の実施の形態に係るメイン基板１０と周辺装置ＰＢ（スイッチ基板ＳＷＢ、メダルセレクタ１又はメダル検出部８２の何れか）との接続図を図４に示す。同図は本発明の実施の形態の動作を説明するために必要な部分（メイン基板１０と周辺装置ＰＢ、その間のワイヤハーネスＷＨ及びこれに含まれる電源線Ｐと信号線Ｓ）のみを示し、それ以外の部品やアドレス信号やデータ信号の表示を省略している。図４において、太線はバックアップ電源の系統を示す。
【００３５】
ワイヤハーネスＷＨは、電源線（バックアップ電源用の電線）Ｐと周辺装置ＰＢのスイッチ又はセンサＳＷの出力をメイン基板１０へ伝達する信号線Ｓを含む。電源線Ｐと信号線Ｓは、互いに撚り合わされるか、ひとつの被覆（チューブ）内に収納されることにより、ひとつにまとめられている。すなわち、電源線Ｐと信号線Ｓは、ひとつのワイヤハーネスにまとめられていて、それらの一方の接続を外すと必ず他方の接続も断たれるようになっている。
【００３６】
図４に示された各要素について説明を加える。
３０は電源切断時に電力を供給するためのバックアップ電源である。バックアップ電源３０は、リチウム電池等の二次電池であるが、本発明は二次電池に限定されない。一次電池やコンデンサなどの蓄電器であってもよい。
３１は電源部２０５からの電源ＶＤＤ又は基板の電源（直流電圧）ＶＤＤを受け、これをバックアップ電源３０に供給しその充電を行うダイオードである。
バックアップ電源３０及びダイオード３１は、周辺装置ＰＢに設けられている。
【００３７】
１０ａは、ワイヤハーネスＷＨの取り外しを検出するために、バックアップ電源３０からの電流を監視するバックアップ電源監視回路である。図４の太線のように、周辺装置ＰＢのバックアップ電源３０からメイン基板１０のＣＰＵ及びＲＡＭに電源が供給されていることはワイヤハーネスＷＨは取り外されていないことに対応し、同電源が供給されていないことは、後述の図７のようにワイヤハーネスＷＨが取り外されていることに対応する。
【００３８】
１０ｂは周辺装置ＰＢのスイッチ又はセンサ（スイッチ基板ＳＷＢのスタートスイッチ１３４等又はメダルセレクタ１のメダルセンサＳ１など）ＳＷから信号を受け、それをＣＰＵへ送るＩ／Ｏ（入出力装置）、１０ｃは少なくともバックアップ電源３０から電力の供給を受けるＲＡＭ（記憶部）、１０ｄは同じく電力の供給を受けるＣＰＵ（処理部）である。
【００３９】
ＲＡＭ１０ｃは、以下に説明するハーネス断線（ワイヤハーネスＷＨが取り外されたこと）を示すフラグの書き込みを受け、これを保持するためのものである。この機能を、遊技機のメイン基板１０が通常備えているＲＡＭ（ストック機のボーナスの数やボーナスの当選状態といった内部情報が保存される内部情報記憶部）で実現できる。発明の実施の形態において、ＲＡＭ１０ｃは上記フラグを保持するための記憶部と上記内部情報を保持する内部情報記憶部を兼ねている。以下の説明において、上記記憶部と上記内部情報記憶部を区別することなく「ＲＡＭ１０ｃ」と表現する。
【００４０】
ＣＰＵ１０ｄはワイヤハーネスＷＨの取り外しを判定する判定部として機能する。ＣＰＵ１０ｄはＲＡＭ１０ｃからデータ（フラグ）を読み出したり、ＲＡＭ１０ｃにデータ（フラグ）を書き込むことができる。ＣＰＵ１０ｄはメイン基板１０のＣＰＵと共用できるが、それとは別個独立に設けることもできる。
【００４１】
なお、ＣＰＵは、バックアップ電源３０からの電流が停止した後でも、少なくとも以下に説明する処理を実行できるものとする。不正なワイヤハーネスＷＨの取り外しはごく短時間に行われるので、メイン基板１０の図示しないコンデンサ等に充電された電気で以下に説明する処理を実行することが可能である。図４の点線で示すように、メイン基板１０ｆに予備のバックアップ電源１０ｆを設けるようにしてもよい。
【００４２】
あるいは、バックアップ電源の供給が停止されたとき、バックアップ電源監視回路１０ａでその監視結果を不揮発性メモリなどに保持しておき、バックアップ電源の供給が再開されたときに当該監視結果をＣＰＵへ送り（具体的には割り込みをかけ）、以下に説明する処理を実行するようにしてもよい。
【００４３】
１０ｅは、電源断時にバックアップ電源３０からの電流がメイン基板１０の図示しない回路に逆流しないようにするためのダイオードである。
【００４４】
周辺装置ＰＢのスイッチ又はセンサＳＷの出力はメイン基板１０に送られる。当該出力を受けてメイン基板１０は遊技処理を行うが、これは公知の処理であるのでその説明は省略する。
【００４５】
次に、発明の実施の形態１に係る装置／方法の動作について、図４〜図８を参照して説明を加える。
【００４６】
発明の実施の形態に係る装置／方法は、メイン基板１０のＣＰＵでワイヤハーネスＷＨを監視し、その取り外しの有無を判定するとともに、ワイヤハーネスＷＨが取り外されたときにその旨の報知を行うとともにリセット（メモリクリア）を行うものである。具体的には、電源断時にワイヤハーネスＷＨに流れるバックアップ電源３０からの電流を、メイン基板１０のバックアップ電源監視回路１０ａで監視することでワイヤハーネスＷＨの取り外しを検知するものである。
【００４７】
図４の構成により、ワイヤハーネスＷＨが外された場合は、これを直ちに検出することが可能である。ワイヤハーネスＷＨが外されたことを検出した場合、直ちにあるいは電源オン時にエラー報知を行うと共に、通常の遊技処理を行う前にリセットが行われるか、又は、リセット待ち状態になる。リセット待ち状態では、例えば、メモリクリアをしなければ通常の遊技処理が実行されない。リセットされるとメモリに保持された当選フラグもリセットされるので、打ち込み機により繰り返し遊技を実行させることで発生確率の低い入賞に当選させ、そのときにメモリに記憶される当選フラグを保持させることで特定の遊技者に利益を誘導する、といったことが不可能になり、よって打ち込み機による不正行為を抑止することができる。
【００４８】
図５は、電源オフ時のメイン基板１０のＣＰＵ１０ｄの処理フローチャートを示す。図６は、電源オン時のメイン基板１０のＣＰＵ１０ｄの処理フローチャートを示す。図７は、ワイヤハーネスＷＨが外された状態を示す。
【００４９】
電源スイッチがオンからオフにされると、ＣＰＵ１０ｄはスリープモード（非使用時に自動的に消費電力を抑えるための状態、プログラムの実行が休止状態にある）に突入する（Ｓ１）。
【００５０】
遊技機の電源がオフになったときに、上記のようにメイン基板１０のＣＰＵ１０ｄはスリープモードに突入するが、メイン基板１０にはバックアップ電源３０からの電源に基づき一定の動作を行うことができる。また、電源断の間でもバックアップ電源３０によりＲＡＭ１０ｃのデータは保存される。
【００５１】
図７に示すように、メイン基板１０と周辺装置ＰＢを接続するワイヤハーネスＷＨが外されると、バックアップ電源３０からの電流がメイン基板１０に流れなくなる（図７の×印は電流が流れなくなったことを示す）。すると、バックアップ電源監視回路１０ａはＣＰＵ１０ｄへ信号を送り、これを契機にＣＰＵ１０ｄに対する割り込みが発生する（Ｓ２）。そして、図５のＳ３及びＳ４の処理が実行される。すなわち、図５のＳ２でＹＥＳと判定されるとＣＰＵ１０ｄは動作を開始し、ＲＡＭ１０ｃにハーネス断線（ワイヤハーネスＷＨが取り外されたこと）を示すフラグを書き込み（Ｓ３）、その後再度スリープ状態に突入する（Ｓ４）。なお、一度割り込みがかけられると、その後ワイヤハーネスＷＨの接続が復旧しても図５のＳ３及びＳ４の処理が停止されることはない。
【００５２】
上述の処理により、メイン基板１０のＲＡＭ１０ｃにワイヤハーネスＷＨが外された旨（ワイヤハーネスＷＨの断線）の記録（フラグ）が残される。これにより、サブ基板１０のＣＰＵ１０ｄは次回電源投入時（起動時）にＲＡＭ１０ｃの内容からワイヤハーネスＷＨの断線を検知できる。
【００５３】
図６は電源オン時のメイン基板１０のＣＰＵ１０ｄ処理フローチャートである。
電源スイッチがオンになると図示しないリセット信号が発生し、その後の期間においてＣＰＵ１０ｄは初期動作を開始する。初期動作のひとつとして図６の処理を行う。
【００５４】
スリープモードを解除し（Ｓ１１）、ＲＡＭ１０ｃのフラグをチェックする（Ｓ１２）。フラグがセットされていたときはワイヤハーネスＷＨの断線（取り外し）があったと判定し（Ｓ１３でＹＥＳ）、警報を発生し、その報知を行う（Ｓ１４）。例えば、エラー信号を発生し、それを、遊技機を管理する図示しないホールコンピュータへ送るとともに、サブ基板２０を通じてスピーカー基板２０１へ信号を送りスピーカーを鳴動させ、音響による警報を行う。さらに、液晶表示基板２００へ信号を送りエラー発生のメッセージを表示させ、ＬＥＤ基板２０２へ信号を送りアーチランプなどを点滅させる。液晶表示装置ＬＣＤにエラーメッセージを表示するようにしてもよい。このような警報は非常に目立つので、ホールの係員が直ちに知ることになる。
【００５５】
Ｓ１４の警報発生・報知は予め定められた所定時間が経過するまで継続する（Ｓ１５）。その後、警報を停止する（Ｓ１６）。そして、リセットを行う（Ｓ１７）。
【００５６】
リセットの処理には、ＲＡＭ１０ｃのクリア（初期化）処理が含まれる。リセットの処理で、少なくとも、ＲＡＭ１０ｃに保持されているストック機のボーナスの数やボーナスの当選状態といった内部情報を消去する。遊技機では通常ＲＡＭの内容は電源断でも保持されるようになっており、電源断の前に得た当選フラグ（当選状態）はそのまま残っている。「打ち込み機」の不正はこの点に着目したものであるので、「打ち込み機」が設置されたと推定される、ワイヤハーネスＷＨの取り外しを検出したときは、Ｓ１７のようにＲＡＭクリアを行うことが好ましい。この処理により、「打ち込み機」による当選フラグは消滅し、それによる利益誘導は不可能になる。なお、Ｓ１７において、ＣＰＵ１０ｄが自動的にリセットを行うことに代えて、リセット操作の要求を液晶表示装置ＬＣＤに表示し、当該操作を受けるまで通常の遊技処理を実行しないようにしてもよい。
【００５７】
仮に、Ｓ１４・Ｓ１５の警報発生中に遊技機の電源をオフにしたとしても、ワイヤハーネスＷＨの取り外しを示すフラグは残ったままであるから、警報発生してから遊技機の電源をオフにし、その後電源を再びオンにしても継続して警報を発生する。上記Ｓ１７の処理を行わない限り、ＲＡＭ１０ｃのフラグを初期化できない。こうすることで、不正行為を発見しやすくなる。
【００５８】
なお、Ｓ１５の処理に代えて、Ｓ１４で警報を発生した後は、別途、リセット等の予め定められた操作を行わない限り警報が停止しないようにしてもよい。リセットスイッチは施錠された遊技機筐体の内部に設けられていて、ホールの係員以外は操作できないようになっている。
【００５９】
また、例えばホールコンピュータによって解除しない限り、遊技の実行が不可能になるようにしてもよい。
【００６０】
さらに、上述の例では、遊技制御基板２００、スピーカ基板２０１、ＬＥＤ基板２０２に信号を送ることによって警報発生・報知を行うようにしたが、例えば遊技機の島設備（複数の遊技機が集合して配置されたもの及びそこに設けられた装置のことを言う）に設けられている大当たり回数等を表示する図示しない表示器に信号を送り、警報発生・報知を行ってもよい。
【００６１】
図８（ａ）に、バックアップ電源監視回路１０ａの簡単な例を示す。
図８（ａ）は、メイン基板１０において、バックアップ電源３０からの電流を抵抗Ｒを介してＣＰＵ及びＲＡＭへ送るとともに、抵抗Ｒの両端をコンパレータ（増幅器）ＡＭＰで比較するという回路である。図８（ａ）では、コンパレータＡＭＰと抵抗Ｒがバックアップ電源監視回路１０ａを構成する。ワイヤハーネスＷＨが取り外されていなければ、抵抗Ｒにバックアップ電源３０からの電流が流れるので、抵抗Ｒの両端には電位差が生じている。これをコンパレータＡＭＰで取り出してＣＰＵ１０ｄへ送る。
【００６２】
図８（ｂ）に、図８（ａ）の回路の動作説明図（タイミングチャート）を示す。ハーネスが装着されていると抵抗Ｒに電流が流れ、電位差が生じているのでバックアップ電源監視回路１０ａの出力、すなわちコンパレータＡＭＰの出力はＨレベルである。時刻Ｔ１でワイヤハーネスＷＨが取り外されると抵抗Ｒに電流が流れないのでコンパレータＡＭＰの出力はＬレベル（＝０）になる。このＬレベルの信号によりＣＰＵ１０ｄに割り込みが掛けられ、図５の処理が実行される。時刻Ｔ２でワイヤハーネスＷＨが再び装着されるとコンパレータＡＭＰの出力は再びＨレベルとなるが、このことにより一度開始された処理が中止されることはない。
【００６３】
この発明の実施の形態によれば、バックアップ電源監視回路１０ａはバックアップ電源３０からの電流を監視し、この電流を検出しなくなったとき、ＣＰＵ１０ｄはＲＡＭ１０ｃにフラグを書き込み、所定のタイミング（例えば、電源投入時）で、ＣＰＵ１０ｄはＲＡＭ１０ｃにフラグが保持されているかどうか判定するので、ワイヤハーネスＷＨ又はそのコネクタを取り外したことを確実に検知できる。ワイヤハーネスＷＨ又はそのコネクタの取り外しを検知したときは、エラー報知を行うことで不正行為を抑止することができる。また、特定の遊技者に利益を誘導することになる当選フラグをリセットさせることなどを通じて、不正行為を失敗に終わらせることができる。
【００６４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６５】
【図１】前扉を閉めた状態を示す遊技機（スロットマシン）の正面図である。
【図２】前扉を１８０度開いた状態を示す遊技機の正面図である。
【図３】遊技機のブロック図である。
【図４】発明の実施の形態に係る遊技機のバックアップ電源系統を示すブロック図である。
【図５】発明の実施の形態に係る電源オフ時のＣＰＵの処理フローチャートである。
【図６】発明の実施の形態に係る電源オン時のＣＰＵの処理フローチャートである。
【図７】発明の実施の形態に係る動作説明図である。
【図８】発明の実施の形態に係るバックアップ電源監視回路のブロック図及びその動作説明図である。
【符号の説明】
【００６６】
１    メダルセレクタ（周辺装置）
１０    メイン基板
１０ａ  バックアップ電源監視回路
１０ｂ  Ｉ／Ｏ（入出力部）
１０ｃ  ＲＡＭ（記憶部、内部情報記憶部）
１０ｄ  ＣＰＵ（処理部）
１０ｅ  ダイオード
８２    メダル検出部（周辺装置）
３０    バックアップ電源
３１    ダイオード
ＰＢ    周辺装置
ＳＷ    スイッチ又はセンサ
ＳＷＢ  スイッチ基板（周辺装置）
ＷＨ    ワイヤハーネス
【図１】
2008161498.tif 000003
【図２】
2008161498.tif 000004
【図３】
2008161498.tif 000005
【図４】
2008161498.tif 000006
【図５】
2008161498.tif 000007
【図６】
2008161498.tif 000008
【図７】
2008161498.tif 000009
【図８】
2008161498.tif 000010